(57)【要約】【課題】左右の可動部が開放状態から閉じられたときに可動部の上部対向面に隙間が生じないようにして所期の演出を実施可能な遊技機における演出装置を提供すること。【解決手段】演出装置２０の可動部２３，３０を上レール２１と下レール２２により水平方向に移動可能とし、ラック・ピニオン機構２６のラック３３を一方の可動部３０の下部に連結するように設け、ステッピングモータ３５によりラック３３を作動させることによって可動部２３，３０が連動して開閉されるように設けられ、可動部２３，３０の底部に摺動部２４，３１を夫々設け、それらの摺動部２４，３１に対応して所定位置に乗り上げ用部材４１を夫々設け、可動部２３，３０が閉じられるときに、乗り上げ用部材４１に摺動部２４，３１を乗り上げさせることによって可動部２３，３０の上部が互いに接近して閉じるようにした。【選択図】図４
2011183078.tif 000002
【特許請求の範囲】
【請求項１】
遊技球が始動口に入賞することを契機に抽選が行なわれて複数列の装飾図柄を変動表示する図柄表示装置の表示部の前面に可動部を左右に配置し、それらの可動部を駆動機構によって開閉作動させる遊技機における演出装置において、
前記可動部は上レールと下レールにより水平方向に移動可能とされ、前記駆動機構の駆動伝達部を少なくとも一方の可動部の下部に連結するように設け、アクチュエータにより該駆動伝達部を作動させることによって前記可動部が連動して開閉されるように設けられ、
前記可動部の底部に摺動部を夫々設け、それらの摺動部に対応して所定位置に乗り上げ用部材を夫々設け、
前記可動部が閉じられるときに、前記乗り上げ用部材に摺動部を乗り上げさせることによって可動部の上部が互いに接近して閉じるように構成したことを特徴とする遊技機における演出装置。
【請求項２】
前記乗り上げ用部材をバネ材としたことを特徴とする請求項１に記載の遊技機における演出装置。
【請求項３】
前記バネ部材がコイルバネ又は板バネからなることを特徴とする請求項２に記載の遊技機における演出装置。
【発明の詳細な説明】
【技術分野】
【０００１】
本発明は、図柄表示装置の液晶表示部の前方で左右に配置された可動部材を開閉させる遊技機における演出装置に関する。
【背景技術】
【０００２】
従来、遊技機として一般的なパチンコ機は、遊技球が始動口に入賞することを契機に抽選が行なわれて図柄表示装置の液晶表示部に３列の装飾図柄（数字、キャラクター等）が変動表示され、停止表示した２列の装飾図柄が同じ所定図柄の組み合わせのときにリーチ状態となり、その状態から停止表示した３列の装飾図柄が同じ所定図柄である場合に特定遊技状態（大当たり）が発生して大入賞装置（いわゆる「アタッカー」）の大入賞口を開放することにより、遊技者に多量の遊技球を獲得する機会を付与するようにされている。かかるパチンコ機では、遊技球を遊技領域に打ち込んで入賞口に入賞させる球落としゲームと、遊技球が始動口に入賞することにより開始される図柄組み合わせゲームとが一連の遊技として行なわれる。
【０００３】
かかるパチンコ機には、図８に示す左右一対の縦長形の障子５２，５２を複ラック・ピニオン機構５５によって開閉作動させる演出装置５１を前記液晶表示部の前面側に配置した機種がある。この装置５１は、上レール５３と下レール５４により障子５２，５２を水平方向に移動可能とし、各障子５２の下部にラック・ピニオン機構５５の構成要素であるラック５６ａ，５６ｂを夫々取り付けると共にそれらラック５６ａ，５６ｂに中間ギア５７を噛合させ、一方の障子５２に固定した駆動側のラック５６ｂにステッピングモータ６０により回転駆動されるピニオン６１を噛合させ、ステッピングモータ６０によりラック５６ｂを移動制御することによって障子５２，５２を開閉作動する構成とされている。
【０００４】
前記演出装置５１において、障子が閉じられたときに、２つの障子５２，５２の対向面５２ａ，５２ａの下部が接触しても上部に３ｍｍ程度の隙間を生ずることがある。これにより、前記液晶表示部の光が隙間から前方へ漏れてしまうので、見栄えが良くない。
【０００５】
上記隙間が生ずるのを回避する対策として、各障子の対向面の上部にマグネットを夫々埋設し、障子が閉じられる直前にマグネットの吸引力を利用して強制的に上部同士を吸着させて閉じさせる構造の演出装置が知られている。
しかし、障子同士が当接するたびに衝突音が生じるため、遊技者に不快感を与えることにもなる。また、閉じられた障子を開く場合には、マグネットで吸着された上部が下部よりも僅かに遅れて急激に離間するため開放動作がギクシャクしてスムーズに開かないという不具合があった。
【先行技術文献】
【特許文献】
【０００６】
【特許文献１】なし
【発明の概要】
【発明が解決しようとする課題】
【０００７】
本発明の目的は、左右に配置した可動部が開放状態から閉じられたときに可動部の上部対向面に隙間が生じないようにして所期の演出を実施可能な遊技機における演出装置を提供することにある。
【課題を解決するための手段】
【０００８】
前記目的を達成するために請求項１に記載した発明は、遊技球が始動口に入賞することを契機に抽選が行なわれて複数列の装飾図柄を変動表示する図柄表示装置の表示部の前面に可動部を左右に配置し、それらの可動部を駆動機構によって開閉作動させる遊技機における演出装置において、
前記可動部は上レールと下レールにより水平方向に移動可能とされ、前記駆動機構の駆動伝達部を少なくとも一方の可動部の下部に連結するように設け、アクチュエータにより該駆動伝達部を作動させることによって前記可動部が連動して開閉されるように設けられ、
前記可動部の底部に摺動部を夫々設け、それらの摺動部に対応して所定位置に乗り上げ用部材を夫々設け、
前記可動部が閉じられるときに、前記乗り上げ用部材に摺動部を乗り上げさせることによって可動部の上部が互いに接近して閉じるように構成したことを特徴とするものである。
【０００９】
同様の目的を達成するために請求項２に記載した発明は、請求項１に記載の遊技機における演出装置において、前記乗り上げ用部材をバネ材としたことを特徴とするものである。
【００１０】
同様の目的を達成するために請求項３に記載した発明は、請求項２に記載の遊技機における演出装置において、前記バネ部材がコイルバネ又は板バネからなることを特徴とするものである。
【００１１】
請求項２及び請求項３に記載した遊技機における演出装置は、乗り上げ用部材をバネ材としているため、障子の摺動部が乗り上げ用部材に円滑に乗り上げると共に障子の上部を閉じる方向に付勢することができる。
【発明の効果】
【００１２】
（請求項１の発明）
この遊技機における演出装置は、左右に配置された可動部の底部に設けた摺動部に対応して所定位置に乗り上げ用部材を設け、障子が閉じられるときに、乗り上げ用部材に摺動部を乗り上げさせることによって障子の上部対向面に隙間を生じないように閉じるように構成しており、所期の演出を確実に発揮することができる。
【図面の簡単な説明】
【００１３】
【図１】本発明に係るパチンコ機の遊技盤正面図
【図２】障子が開放された状態を示す演出装置の正面図
【図３】障子が閉じられた状態を示す演出装置の正面図
【図４】障子が完全に閉じられる直前の状態を誇張して示す説明図
【図５】図４の一部拡大図
【図６】コイルバネによる乗り上げ用部材の斜視図
【図７】板バネによる乗り上げ用部材の側面図
【図８】従来の遊技機における演出装置の説明図
【発明を実施するための形態】
【００１４】
以下に、本発明の最良の形態例を図面に基づいて説明する。
【００１５】
本発明に係る遊技機における演出装置は、遊技球が始動口に入賞することを契機に抽選が行なわれて複数列の、この実施形態では３列の装飾図柄（図示せず）を変動表示する図柄表示装置の表示部５の前面に可動部を左右に配置し、それらの可動部を駆動機構の一例であるラック・ピニオン機構によって開閉させる概要構造とされている。この実施形態においては、遊技機を「パチンコ機」とし、可動部として「障子」を例にして以下に詳しく述べる。
【００１６】
はじめに、この演出装置が適用されるパチンコ機の概要について説明する。
本発明に係るパチンコ機の遊技盤を図１に示す。遊技盤１の誘導レール２，３によって囲まれる遊技領域４には、中央に配置した図柄表示装置の表示部（液晶表示部）５、誘導釘６、風車７、通過ゲート８、普通入賞口９、始動口１０、大入賞口１１及びアウト球口１２等が設けられている。そして、本発明に係る演出装置２０は、図柄表示装置の表示部５の前面側に設けられている。
【００１７】
また、遊技領域４の外側には、表示部５と連係する普通図柄表示器１５と特別図柄表示器１６が設けられている。
【００１８】
しかして、このパチンコ機においては、遊技領域４に打ち込まれた遊技球が通過ゲート８を通過することにより「当たり」か「ハズレ」かの抽選を行なって普通図柄表示器１５にその結果を表示し、「当たり」であれば始動口１０の一対の開閉羽根を一定時間（例えば、２秒間）に限り２回開放して遊技球が入賞し易い状態とし、その開閉羽根の開放状態にある始動口１０に遊技球が入賞することにより特別図柄表示器１６及び表示部５を作動させ、特別図柄表示器１６に特定図柄が表示されて停止すれば「大当たり」と言われる特別遊技状態が発生し、これと連係して表示部５にも所定の装飾図柄が横並びに三つ揃って表示され（例えば、「７，７，７」）、ついで、大入賞口１１が遊技球を受け入れる開放状態とされ、所定条件に基づきその開放状態が所定回数（例えば、１５回）を繰り返されることにより多量の景品球を放出するような構造とされている。
【００１９】
（演出装置）
図２において、演出装置２０の上レール２１と下レール２２は、図柄表示装置の表示部５の前面の上方と下方の適宜位置に水平方向に配置されている。左側の障子２３は、上部と下部に夫々二個ずつ備えたローラ２５ａ，２５ｂを上レール２１と下レール２２に嵌めて左右方向に移動可能に設けられている。２３ａは障子２３の内側の対向面、２３ｂは障子の外側端である。
【００２０】
障子２３の外側端２３ｂ寄りの底部２３ｃには、小さなブロック形状の摺動部２４を下方へ突出するように設けている。また、その底部２３ｃの適宜位置に形成された支持部２３ｄには、ラック・ピニオン機構２６の構成要素である従動側のラック２７の一端側２７ａを連結している。
【００２１】
同様に、右側の障子３０についても、上部と下部に夫々二個ずつ備えたローラ３２ａ，３２ｂを上レール２１と下レール２２に嵌めて左右方向に移動可能に設けられている。３０ａは障子３０の内側の対向面、３０ｂは障子の外側端である。
【００２２】
障子３０の外側端３０ｂ寄りの底部３０ｃには、小さなブロック形状の摺動部３１を下方へ突出するように設けている。また、その底部３０ｃの適宜位置に形成された支持部３０ｄには、駆動側のラック３３の一端側３３ａを連結している。
【００２３】
なお、ラック３３は、本発明の構成要件である駆動伝達部を意味する。
【００２４】
２８は従動側のラック２７と駆動側のラック３３に噛合するように介装された中間ギアである。駆動側のラック３３には、アクチュエータとしてのステッピングモータ３５の減速ギア群の出力側のピニオン３６を噛合させる。３８は障子３０が開放していることを検知するためにラック３３の一端側３３ａに配置されたリミットスイッチである。３９は障子３０が閉鎖していることを検知するためにラック３３の他端側３３ｂに配置されたリミットスイッチである。
【００２５】
４１，４１は障子２３の摺動部２４及び障子３０の摺動部３１に夫々対応させて所定位置に設けた乗り上げ用部材である。図６に示すように、乗り上げ用部材４１は、バネ材としてのコイルバネ４２のコイル部４２ａとその一端４２ｂに取付け片４３ａ，４３ｂを設け、斜め上方へ延びるように形成された他端４２ｃに丸棒形態の乗り上げ片４４が設けられている。４５は乗り上げ用部材４１を遊技盤１に固定するためのビスである。
【００２６】
なお、この実施形態では、バネ材としてコイルバネ４２を用いているが、これに代えて図７に示す板バネ４７を用いることもできる。板バネ４７は、取付け部４７ａから曲がり部を経て斜め上方へ延びる部分４７ｂに障子２３，３０の摺動部２４，３１を乗り上げさせるように設けられている。４８は板バネ４７を遊技盤１に固定するためのビスである。
【００２７】
また、障子２３の摺動部２４及び障子３０の摺動部３１について、本実施形態では下面を水平としているが、これを斜面にして前記乗り上げ片４４に乗りやすい形状とすることも適宜実施可能である。
【００２８】
しかして、ステッピングモータ３５によってピニオン３６を回転駆動して駆動側のラック３３を移動制御することによって障子２３，３０を連動して開閉するパチンコ機における演出装置２０が構成される。
【００２９】
つぎに、本発明に係るパチンコ機における演出装置の作用について説明する。
（１）図２に示す左右に配置された障子２３，３０が開いている状態にて、ステッピングモータ３５によってピニオン３６を回転駆動することにより駆動側のラック３３を移動させる。
（２）障子２３，３０が閉じられるときに、図４、図５に示すように、障子２３の摺動部２４及び障子３０の摺動部３１は、乗り上げ用部材４１の乗り上げ片４４に夫々当接してから当該乗り上げ片４４に乗り上げる。
（３）ステッピングモータ３５は、リミットスイッチ３９によりラック３３の他端側３３ｂが検知されるまで駆動制御される。同時に、左右の障子２３，３０は、乗り上げ用部材４１の弾発力によって外側端２３ｂ、３０ｂを上方に持ち上げられて互いに接近し隙間を生じることなく閉じられる（図３）。
（４）また、障子２３，３０を開放する場合には、ラック３３の一端側３３ａがリミットスイッチ３８により検知されるまでステッピングモータ３５を回転駆動させる。そして、障子２３，３０が開放される過程において、摺動部２４，３１は乗り上げ用部材４１との接触状態を解放される。
【００３０】
以上の通り、このパチンコ機における演出装置は、左右の障子が閉じられるときに、障子の摺動部を乗り上げ用部材に乗り上げさせることによって障子の上部対向面に隙間が生じないように閉じられるので、所期の演出を確実に発揮することができる。
【符号の説明】
【００３１】
５・・・（パチンコ機における図柄表示装置の）表示部
２０・・・本発明に係る遊技機における演出装置
２１・・・上レール
２２・・・下レール
２３，３０・・・障子（可動部）
２４，３１・・・摺動部
２６・・・ラック・ピニオン機構（駆動機構）
２７，３３・・・ラック（駆動伝達部）
３５・・・ステッピングモータ（アクチュエータ）
４１・・・乗り上げ用部材
４２・・・コイルバネ
４７・・・板バネ
【図１】
2011183078.tif 000003
【図２】
2011183078.tif 000004
【図３】
2011183078.tif 000005
【図４】
2011183078.tif 000006
【図５】
2011183078.tif 000007
【図６】
2011183078.tif 000008
【図７】
2011183078.tif 000009
【図８】
2011183078.tif 000010